(57)【要約】      （修正有）【課題】ヘッド掛け型ヘッドホンの固定位置構造を提供する。【解決手段】ヘッド掛け型ヘッドホンは主に、ヘッド掛けユニットのカーブ状ヘッドストラップの両自由側と耳覆いセットの下飾りリングカバーとが相互にバックルロックされており、上、下飾りリングカバーが相互にロックされると同時に、上飾りリングカバーが下飾りリングカバーの凸肋を経て、ヘッドストラップ自由側の穴に嵌められ、ネジでない固定方法で、ＭＩＣ回転盤、耳覆いセット及びヘッド掛けユニットからなるオリジナルなヘッド掛け型ヘッドホンである。【選択図】図１
0003133573.tif 000002
【実用新案登録請求の範囲】
【請求項１】
主にヘッド掛けユニット及び左、右耳覆いセットからなるヘッド掛け型ヘッドホンの固定位置構造であり、前記ヘッド掛けユニットは少なくとも、カーブ状ヘッドストラップ、ヘッドストラップ保護バンド、及び一つの耳覆いセットに回転できるＭＩＣ回転盤からなるものであり、前記の二耳覆いセットは、耳覆いと発音盤が含まれており、前記耳覆いと発音盤により、お互いに緊密した内部空間が形成されており、前記内部空間は上飾りリングカバー、カーブ状ヘッドストラップの自由側が下飾りリングカバーへの差し込みが可能で、相互バックルロックの上、下飾りリングカバー及びカーブ状ヘッドストラップの自由側との間は、ネジでない固定方法による固定位置構造に設計されることを特徴とするヘッド掛け型ヘッドホンの固定位置構造。
【請求項２】
左、右耳覆いセットの左、右耳覆い及び発音盤は、突出柱と穴柱で相互に結合しており、下飾りリングカバーの保留スペースは、カーブ状ヘッドストラップの自由側が差し込める差込部が形成されており、前記差込部には二貫通穴があり、前記二貫通穴の位置はちょうどカーブ状ヘッドストラップの自由側の二位置固位置固定穴と貫通しており、下飾りリングカバーとバックルロックされた上飾りリングカバーは伸ばされ、前記貫通穴を通して、自由側の二固定位置穴内の凸肋に嵌め、固定されることを特徴とする請求項１に記載のヘッド掛け型ヘッドホンの固定位置構造。
【請求項３】
左、右耳覆いセットの左、右耳覆い及び発音盤は、突出柱と穴柱により緊密に結合しており、上、下飾りリング及びカーブ状ヘッドストラップの自由側の間はバックルロックされる固定位置構造であることを特徴とする請求項１に記載のヘッド掛け型ヘッドホンの固定位置構造。
【請求項４】
左、右耳覆いセットの左、右耳覆い及び発音盤は、突出柱と穴柱により緊密に結合しており、それに張り合わせられる固定位置構造であることを特徴とする請求項１に記載のヘッド掛け型ヘッドホンの固定位置構造。
【請求項５】
前記下飾りリングカバー及び発音盤との間には、スピーカーと振動器（オプション）が設けられることを特徴とする請求項１に記載のヘッド掛け型ヘッドホンの固定位置構造。
【請求項６】
ヘッドストラップ保護バンドは、ヘッドバンドカバー及びヘッドストラップ保護バンドを貫通したヘッドバンド押さえプレート、そしてカーブ状ヘッドストラップからなるものであることを特徴とする請求項１に記載のヘッド掛け型ヘッドホンの固定位置構造。
【請求項７】
ＭＩＣ回転盤の内壁には、突出柱が突出するように設けられ、前記突出柱は耳覆いを通して、スロットに合わせて、前記スロットを突出柱のスロット穴に入れるようにすることを特徴とする請求項１に記載のヘッド掛け型ヘッドホンの固定位置構造。
【考案の詳細な説明】
【技術分野】
【０００１】
本実用新案は、ヘッド掛け型ヘッドホンに関わり、特に全くネジなしでＭＩＣ回転盤、耳覆いセット及びヘッド掛けユニットが結合されるヘッドホンの固定位置構造である。
【背景技術】
【０００２】
近年、国内の若者達が音楽に大変熱狂し、国内での音楽放送システムでも、早期のサイズの大きいラジオカセットレコーダーからポータブルＣＤプレヤーへと発展され、ここの数年、サイズがより小さく、より持ちやすく、音楽ファイルが小さく、収録歌曲が多いＭＰ３、又はきれいな形を持つｉ−Ｐｏｄ等のような新しいプレヤーも出ている。ポータブルミュージックプレヤーは、大きいサイズのラジオカセットレコーダーの場合、ボリュームが比較的に大きく、音質がよりよいスピーカーでなければ、ヘッドホン・イヤホンで出力しなければならない。市販のヘッドホン・イヤホンは、耳へ差し込んだ小サイズの耳栓を使うイヤホン、及び頭に掛けるヘッドホンがあるが、耳に直接に差し込んだイヤホンは、ポータブルプレヤーの便利さを持っているが、それを使って、長期間に音楽を聴くと、耳が痛くなったり、耳膜に近き、聴力障害も起こりうるため、家でＭＰ３やｉ−Ｐｏｄプレヤーを使う場合、長時間に心地よく、音質がよりよいヘッドホンが多く利用されるのである。現在、市販されるヘッド掛け型ヘッドホンは、耳覆いセットに装着されたＭＩＣ回転盤及びヘッド掛けユニット等の部品の結合方法は、金属性のネジで締められるのが多く、市販のネジ締めの固定位置構造では、取り外しや取り付けを行うのに操作が繰り返され、特に取り付けが遅くて、速度を大幅に高められないのが主な原因の一つであり、また、ネジ締めの物を長時間に利用した場合、天気や湿気によりネジに錆が出たり、取り外しにくくなる可能性があり、ユーザに悩みを感じさせるのである。
【考案の開示】
【考案が解決しようとする課題】
【０００３】
本実用新案では、上述の一般技術に存在する欠点を改善し、主要目的はＭＩＣ回転盤、耳覆いセット及びヘッド掛けユニットからなり、ネジなしの締め方で、容易に取り付けや取り外しの効果を果たし、製造効果を高めるためのヘッド掛け型ヘッドホン固定位置構造を提供することである。
【課題を解決するための手段】
【０００４】
上述した目的を実現するため、本実用新案は次の技術案が採用される。主にヘッド掛けユニットと左、右耳覆いセットからなるヘッド掛け型ヘッドホン固定位置構造であり、前記ヘッド掛けユニットは少なくとも、カーブ状ヘッドストラップ及び一ヘッドストラップ保護バンド、そして、少なくとも一つの耳覆いセットに回転できるがあるＭＩＣ回転盤からなるものであり。前記の二耳覆いセットは、耳覆いと発音盤が含まれており、前記耳覆いと発音盤により、お互いに緊密した内部空間が形成されており、前記内部空間は上飾りリングカバー、カーブ状ヘッドストラップの自由側が下飾りリングカバーへの差し込みが可能で、相互バックルロックの上、下飾りリングカバー及びカーブ状ヘッドストラップの自由側との間は、ネジでない固定方法による固定位置構造である。前記左、右耳覆いセットの左、右耳覆い及び発音盤は、突出柱と穴柱で相互に結合しており、下飾りリングカバーの保留スペースは、カーブ状ヘッドストラップの自由側が差し込める差込部が形成されており、前記差込部には二貫通穴があり、前記二貫通穴の位置はちょうどカーブ状ヘッドストラップの自由側の二位置固位置固定穴と貫通しており、下飾りリングカバーとバックルロックされた上飾りリングカバーは伸ばされ、前記貫通穴を経て、自由側の二固定位置穴内の凸肋に嵌め、固定される。左、右耳覆いセットの左、右耳覆い及び発音盤は、突出柱と穴柱により緊密に結合しており、上、下飾りリング及びカーブ状ヘッドストラップの自由側の間はバックルロックされる固定位置構造である。左、右耳覆いセットの左、右耳覆い及び與発音盤は、突出柱と穴柱により緊密に結合しており、それに張り合わせられる固定位置構造である。前記下飾りリングカバー及び発音盤との間には、スピーカーと振動器（オプション）が設けられる。ヘッドストラップ保護バンドは、ヘッドバンドカバー及びヘッドストラップ保護バンドを貫通したヘッドバンド押さえプレート、そしてカーブ状ヘッドストラップからなるものであるＭＩＣ回転盤の内壁には、突出柱が突出するように設けられ、前記突出柱は耳覆いを通して、スロットに合わせて、前記スロットを突出柱のスロット穴に入れるようにする。本実用新案は一般の技術に比較すれば、その有効な効果はＭＩＣ回転盤、耳覆いセット及びヘッド掛けユニットとの間は、ネジでない締めかたで行われ、一般のヘッドホン結構におけるＭＩＣ回転盤、耳覆いセット及びヘッド掛けユニット間に金属製ネジで締められ、生じるネジ締め作業での取り付け、取り外しの繰り返しや煩雑さ、時間がかかるといった欠点を解決し、簡単で有効に取り付けや取り外しを実現され、製造効率を高めることができる。
【考案を実施するための最良の形態】
【０００５】
以下、添付図と実際の実施形態により、本実用新案について更に説明する。図１から図４に示すように、本実用新案のヘッド掛け型ヘッドホン固定位置構造における前記ヘッドホン１は、主にヘッド掛けユニット１０及び左、右耳覆いセット２０、３０からなるものであり、ヘッド掛けユニット１０の主要構成は、頭の形に合わせたカーブ状の二ヘッドストラップ１１があり、カーブ状の二ヘッドストラップ１１は、斜めで間隔置きに設けられており、それにより、カーブ状の二ヘッドストラップ１１の両自由側が接近し、触れるようにし、触れるようになる両自由側には、二位置固定穴１１１があり、二位置固定穴１１１の上側の保留スペースに結合穴１１２が設けられており、そして、ヘッドストラップ保護バンド１２があり、二カーブ状ヘッドストラップ１１間に設けられたヘッドストラップ保護バンド１２の両自由側は、接続ユニット１３と結合しており、接続ユニット１３は更に左、右ヘッドバンド押さえプレート１４により、カーブ状ヘッドストラップ１１の結合穴１１２に接続固定して、ヘッドストラップ保護バンド１２を二カーブ状ヘッドストラップ１１の間に安定させ、固定させるようにする。
【０００６】
二耳覆いセットは、左耳覆いセット２０と右耳覆いセット３０のことを指し、左耳覆いセット２０は上蓋と下蓋による回転でＭＩＣ回転盤４０と結合しており、左、右耳覆いセット２０、３０は対称した構造となるものであり、同じ説明を繰り返さないように、左耳覆いセット２０だけについて説明する。
【０００７】
図に示すように、前記左耳覆いセット２０には、左耳覆い２１と発音盤２２があり、左耳覆い２１の内側の回りに複数の穴柱２１１が突出するように設けられており、発音盤２２の対称した所には穴柱２１１に嵌めるための突出柱２２１が形成され、それゆえ、左耳覆い２１と発音盤２２は、穴柱２１１と突出柱２２１により緊密に合わせ、ロックされるようになると同時に、内部から囲まれた内部空間Ｃが形成されるのである。
【０００８】
上飾りリングカバー２３及び下飾りリングカバー２４があり、相互にロックされ、固定された二飾りリングカバー２３、２４はちょうど内部空間Ｃ内に設けられ、そして、下飾りリングカバー２４と発音盤２２との間に一スピーカー２５及び一振動器２６が設けられる；その上、下飾りリングカバー２４の保留スペースはカーブ状ヘッドストラップ１１の自由側の差し込める差込部２４１が形成されており、差込部２４１の対称したカーブ状ヘッドストラップ１１の二位置固定穴１１１の所に、貫通した貫通穴２４２が形成されており、下飾りリングカバー２４とロック固定された上飾りリングカバー２３は伸ばされ、前記貫通穴を通して、自由側の二位置固定穴１１１内の凸肋２３１に嵌め、固定されており、それで、二耳覆いセット２０、３０は二カーブ状ヘッドストラップ１２の自由側と結合することができるのである。
【０００９】
図４に示すように、前記ＭＩＣ回転盤４０の内壁には、突出柱４１が突出するように設けられており、前記突出柱４１にスロット穴４１１があり、前記突出柱４１は左耳覆い２１を通して、スロット５０で突出柱４１のスロット穴４１１に入れるように固定させる。
【００１０】
本実用新案におけるカーブ状ヘッドストラップ１１及び左、右耳覆いセット２０、３０間の結合方法は、カーブ状ヘッドストラップ１１で左、右耳覆いセットの下飾りリングカバー差込部２４１内を通って、更に、上飾りリングカバー２３で下飾りリングカバー２４の凸肋２３１を貫通して、カーブ状ヘッドストラップの二位置固定穴１１１に嵌め、位置を固定させるようにすることであり、それにより、従来のよく知られる金属製ネジ締めによる締め、緩みの繰り返しを簡単で尚且つ素早く解決し、ヘッドホン１の取り付けやメンテナンス、取り外しは、ネジ締めによる位置固定構造の繰り返し作業よりも早く行われることができる。
【００１１】
もちろん、上述のように、上飾りリングカバーで下飾りリングカバーの貫通穴を貫通して、凸肋に固定させる固定位置構造では、耳覆いセット及びヘッド掛けユニットとの取り付けや取り外しを素早く行うことができるほかに、ネジでない締め方で、耳覆いセット及びヘッド掛けユニットからなる固定位置構造の実施形態は、ホックロック、リベット結合又は張り合わせ等でもよいので、それは従来の知られるネジ締めより、更にオリジナル性と実用性を有することができるのである。
【００１２】
上述では、本考案のヘッドホンの位置固定構造の好適な実施例のみであり、本考案の技術分野に対する何らかの制限もなく、それゆえ、実際に本考案の技術に基づき、上述の実施例に何らかの修正を行い、それを変えたり、飾りをつけたりしても、すべて本考案の技術分野に属するものである。
【図面の簡単な説明】
【００１３】
【図１】本考案の爆発構造のイメージである。
【図２】本考案の立体の外観構造のイメージである。
【図３】本考案の断面構造のイメージである。
【図４】本考案のＭＩＣ回転盤構造のイメージである。
【符号の説明】
【００１４】
１              ヘッドホン
１０            ヘッド掛けユニット
１１            カーブ状ヘッドストラップ
１２            ヘッドストラップ保護バンド
１３            接続ユニット
１４            ヘッドバンド押さえプレート
２０            左耳覆いセット
２１            左耳覆い
２２            発音盤
２３            上飾りリングカバー
２４            下飾りリングカバー
２５            スピーカー
２６            振動器
３０            右耳覆いセット
４０            ＭＩＣ回転盤
４１            突出柱
１１１          位置固定穴
１１２          結合穴
２１１          穴柱
２２１          突出柱
２３１          凸肋
２４１          差込部
２４２          貫通穴
４１１          スロット穴
５０            スロット
Ｃ              内部空間
【図１】
0003133573.tif 000003
【図２】
0003133573.tif 000004
【図３】
0003133573.tif 000005
【図４】
0003133573.tif 000006
【手続補正書】
【提出日】平成19年5月8日(2007.5.8)
【手続補正１】
【補正対象書類名】実用新案登録請求の範囲
【補正対象項目名】請求項５
【補正方法】変更
【補正の内容】
【請求項５】
前記下飾りリングカバー及び発音盤との間には、スピーカーと振動器が設けられることを特徴とする請求項１に記載のヘッド掛け型ヘッドホンの固定位置構造。